【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
位置（Ｓ）を調節可能な測定値センサ（１２）が配置された筐体（１１）と、
前記測定値センサ（１２）の位置に依存して電気測定信号（Ｍ）を生成する、前記筐体（１１）内に配置された測定ユニット（１４）と、
前記筐体（１１）内に配置され、通信インタフェース（１８）を介して前記測定ユニット（１４）に接続された、送信回路（１９）と、
を備える測定装置（１０）であって、
前記送信回路（１９）は、前記送信回路（１９）が中央ユニット（２０）からの送信要求信号を受信することに応じて、前記送信回路（１９）が前記送信要求信号を受信したときに生成された前記電気測定信号（Ｍ）に対応する送信信号（Ｕ）を、前記中央ユニット（２０）へ無線送信するように装備されており、
前記測定装置（１０）には、エネルギ貯蔵器（３１）を含む電圧供給回路（３０）が備えられ、前記電圧供給回路（３０）には、前記送信回路（１９）並びに前記測定ユニット（１４）が接続されており、
前記送信回路（１９）は、前記測定装置（１０）と前記中央ユニット（２０）との間の無線インターフェースを提供するように、前記筐体（１１）内に配置されたアンテナ（２１）を備え、
前記測定装置（１０）は、前記アンテナ（２１）を、前記測定ユニット（１４）及び前記送信回路（１９）との高周波信号における不要な結合から遮蔽する遮蔽構造（２８）を更に備える、
測定装置（１０）。
【請求項２】
前記送信回路（１９）に接続されている第１の供給ライン（３７）は、前記電圧供給回路（３０）からの供給電圧（Ｖ）を受けるために前記エネルギ貯蔵器（３１）へ直接接続されていることを特徴とする、請求項１に記載の測定装置（１０）。
【請求項３】
前記測定ユニット（１４）に接続されている第２の供給ライン（４０）は、抵抗（３９）を介して前記電圧供給回路（３０）の供給電圧（Ｖ）に接続され、かつコンデンサ（４１）を介してグランド（ＧＮＤ）に接続されていることを特徴とする、請求項１に記載の測定装置（１０）。
【請求項４】
前記抵抗（３９）は前記供給電圧（Ｖ）に直接接続されていることを特徴とする、請求項３に記載の測定装置（１０）。
【請求項５】
前記測定装置（１０）は、長さの測定のために動作可能に配置されることを特徴とする、請求項１に記載の測定装置（１０）。
【請求項６】
前記筐体（１１）は、防塵又は耐塵、及び／又は防水型であることを特徴とする、請求項１に記載の測定装置（１０）。
【請求項７】
前記アンテナ（２１）は導体平板アンテナ又はＳＭＤアンテナであることを特徴とする、請求項１に記載の測定装置（１０）。
【請求項８】
前記送信回路（１９）と前記測定ユニット（１４）とは共通の制御ユニット（４５）を備えることを特徴とする、請求項１に記載の測定装置（１０）。
【請求項９】
前記制御ユニット（４５）は、前記送信回路（１９）及び／又は前記測定ユニット（１４）を所要エネルギの小さい休止状態に置くように適合されていることを特徴とする、請求項８に記載の測定装置（１０）。
【請求項１０】
前記測定装置（１０）の１つに割り当てられたアドレスを格納するために、アドレスメモリ（２５）を更に備えることを特徴とする、請求項１に記載の測定装置（１０）。
【請求項１１】
受信回路（２３）が、前記送信回路（１９）に一体化された形で備えられ、送受信回路（２４）を提供することを特徴とする、請求項１０に記載の測定装置（１０）。
【請求項１２】
前記アドレスは前記受信回路（２３）で受信され、前記アドレスメモリ（２５）内に保管されることを特徴とする、請求項１１に記載の測定装置（１０）。
【請求項１３】
前記送信回路（１９）は、前記測定装置（１０）のアドレスを、前記送信信号（Ｕ）と共に前記中央ユニット（２０）へ送信するように適合されていることを特徴とする、請求項１０に記載の測定装置（１０）。
【請求項１４】
少なくとも１つの測定装置（１０）と、中央ユニット（２０）とを備えるシステムであって、
前記少なくとも１つの測定装置（１０）は、
位置（Ｓ）を調節可能な測定値センサ（１２）が配置された筐体（１１）と、
前記測定値センサ（１２）の前記位置に依存して電気測定信号（Ｍ）を生成する、前記筐体（１１）内に配置された測定ユニット（１４）と、
前記筐体（１１）内に配置され、通信インタフェース（１８）を介して前記測定ユニット（１４）に接続された、送信回路（１９）と、
を備え、
前記送信回路（１９）は、前記送信回路（１９）が前記中央ユニット（２０）からの送信要求信号を受信することに応じて、前記送信回路（１９）が前記送信要求信号を受信したときに生成された前記電気測定信号（Ｍ）に対応する送信信号（Ｕ）を、前記中央ユニット（２０）へ無線送信するように装備され、
受信回路（２３）が、第１の送受信回路（２４）を提供するように、前記送信回路（１９）に一体化された形で備えられ、
アドレスメモリ（２５）が、前記少なくとも１つの測定装置（１０）に割り当てられたアドレスを記憶するために提供され、
前記中央ユニット（２０）は、前記少なくとも１つの測定装置（１０）と無線通信を行うための第２の送受信回路（４７）を含むと共に、初期化（Ｉ）の間に、前記少なくとも１つの測定装置（１０）にアドレスを割り当てるように配置され、
前記第１の送受信回路（２４）は、予め定められた時間間隔Δｔの間、前記中央ユニット（２０）と同期し、
前記測定装置（１０）には、エネルギ貯蔵器（３１）を含む電圧供給回路（３０）が備えられ、前記電圧供給回路（３０）には、前記送信回路（１９）並びに前記測定ユニット（１４）が接続されており、
前記送信回路（１９）は、前記測定装置（１０）と前記中央ユニット（２０）との間の無線インターフェースを提供するように、前記筐体（１１）内に配置されたアンテナ（２１）を備え、
前記測定装置（１０）は、前記アンテナ（２１）を、前記測定ユニット（１４）及び前記送信回路（１９）との高周波信号における不要な結合から遮蔽する遮蔽構造（２８）を更に備える、
システム。
【請求項１５】
作業者への視覚を提供するように、前記筐体（１１）に配置されたディスプレイ装置（１５）を更に備え、
前記ディスプレイ装置（１５）は、前記通信インタフェース（１８）を介して、前記測定ユニット（１４）に接続される
請求項１に記載の測定装置（１０）。
【請求項１６】
前記測定ユニット（１４）は、測定制御ユニット（４２）を更に含み、
前記測定制御ユニット（４２）は、制御ユニット（４５）と、前記測定値センサ（１２）の一部である測定ロッド（３８）の位置を検出すると共に前記測定制御ユニット（４２）へ送信される、前記測定ロッド（３８）の前記位置を示すセンサ信号を生成するセンサ（３６）と通信する
請求項１に記載の測定装置（１０）。
【請求項１７】
位置（Ｓ）を調節可能な測定値センサ（１２）が配置された筐体（１１）と、
前記測定値センサ（１２）の位置に依存して電気測定信号（Ｍ）を生成する、前記筐体（１１）内に配置された測定ユニット（１４）と、
前記筐体（１１）内に配置され、通信インタフェース（１８）を介して前記測定ユニット（１４）に接続された、送受信回路（２４）と、
を備え、
前記送受信回路（２４）は、
中央ユニット（２０）から、所定間隔で同期信号（Ｔ）を受信すると共に、送信要求信号（Ｒ）を受信し、
前記同期信号（Ｔ）及び前記送信要求信号（Ｒ）を受信していない状態では、前記電気測定信号（Ｍ）に対応する送信信号（Ｕ）を中央ユニット（２０）へ無線送信しない休止状態にあり、
前記休止状態において前記送信要求信号（Ｒ）を受信した場合、前記送信要求信号（Ｒ）を受信した直後に、前記送信信号（Ｕ）を中央ユニット（２０）へ無線送信する
ように装備されている、
測定装置（１０）。
【請求項１８】
エネルギ貯蔵器（３１）を含む電圧供給回路（３０）が備えられ、前記電圧供給回路（３０）には、前記送受信回路（２４）並びに前記測定ユニット（１４）が接続されていることを特徴とする請求項１７に記載の測定装置（１０）。
【請求項１９】
外部から前記電圧供給回路（３０）へのアクセスのための電池開口（３２）又はケーブル接続部（３３）を備える請求項１〜１３及び請求項１８の何れか１項に記載の測定装置（１０）。
【請求項２０】
前記測定装置（１０）は、外部から前記電圧供給回路（３０）へのアクセスのための電池開口（３２）又はケーブル接続部（３３）を備える請求項１４に記載のシステム。
【請求項２１】
前記アンテナ（２１）及び前記送信回路（１９）は、第１の導体板部（２２ａ）の上に配置され、
前記測定ユニット（１４）は、前記第１の導体板部（２２ａ）とは物理的に離間する第２の導体板部（２２ｂ）の上に配置されている、
請求項１〜請求項１３の何れか１項に記載の測定装置（１０）。
【請求項２２】
前記アンテナ（２１）及び前記送信回路（１９）は、第１の導体板部（２２ａ）の上に配置され、
前記測定ユニット（１４）は、前記第１の導体板部（２２ａ）とは物理的に離間する第２の導体板部（２２ｂ）の上に配置されている、
請求項１４に記載のシステム。
【請求項２３】
前記送受信回路（２４）は、第１の導体板部（２２ａ）の上に配置され、
前記測定ユニット（１４）は、前記第１の導体板部（２２ａ）とは物理的に離間する第２の導体板部（２２ｂ）の上に配置されている、
請求項１７又は請求項１８の何れか１項に記載の測定装置（１０）。
【請求項２４】
前記遮蔽構造（２８）は、前記第１の導体板部（２２ａ）を貫通し且つ前記第１の導体板部（２２ａ）の複数のグランド位置を相互接続する複数のスルー接触により形成される請求項２１に記載の測定装置（１０）。
【請求項２５】
前記遮蔽構造（２８）は、前記第１の導体板部（２２ａ）を貫通し且つ前記第１の導体板部（２２ａ）の複数のグランド位置を相互接続する複数のスルー接触により形成される請求項２２に記載のシステム。
【請求項２６】
前記送受信回路（２４）は、
前記測定装置（１０）と前記中央ユニット（２０）との間の無線インターフェースを提供するように、前記筐体（１１）内に配置されたアンテナ（２１）と、
前記アンテナ（２１）を、前記測定ユニット（１４）及び前記送受信回路（２４）との高周波信号における不要な結合から遮蔽する遮蔽構造（２８）と、
を更に備え、
前記アンテナ（２１）は、前記第１の導体板部（２２ａ）の上に配置され、
前記遮蔽構造（２８）は、前記第１の導体板部（２２ａ）を貫通し且つ前記第１の導体板部（２２ａ）の複数のグランド位置を相互接続する複数のスルー接触により形成される請求項２３に記載の測定装置（１０）。